(57)【特許請求の範囲】
【請求項１】
検査に関する種々の情報を記録して管理する検査情報管理システムであって、
照会又は編集する情報を選択する選択手段と、
前記選択手段により選択された情報に対応する照会・編集画面を表示する表示手段と、
を備え、
前記選択手段は、複数の情報の選択が可能であり、
前記表示手段は、前記選択手段にて複数の情報が選択された場合に、各情報に対応する照会・編集画面を互いに異なる表示領域に同時に表示し、
前記選択手段にて複数の情報が選択された場合に、１番目に選択された主情報と、２番目以降に選択された副情報の各々との組み合わせに基づいて、前記副情報の各々について、その編集を許容し、又は禁止する制御手段をさらに備える検査情報管理システム。
【請求項２】
請求項１記載の検査情報管理システムであって、
前記表示手段は、複数のモニタを有し、前記選択手段にて複数の情報が選択された場合に、各情報に対応する照会・編集画面を互いに異なるモニタに表示する検査情報管理システム。
【請求項３】
請求項１記載の検査情報管理システムであって、
前記表示手段は、単一のモニタに複数のウィンドウを表示可能であり、前記選択手段にて複数の情報が選択された場合に、各情報に対応する照会・編集画面を互いに異なるウィンドウに表示する検査情報管理システム。
【請求項４】
請求項１〜３のいずれか一項に記載の検査情報管理システムであって、
前記選択手段は、前記表示手段に常時表示されるランチャーである検査情報管理システム。
【請求項５】
請求項１〜４のいずれか一項に記載の検査情報管理システムであって、
前記主情報と前記副情報との組み合わせにおいて前記副情報の編集を禁止する組み合わせが定義された定義ファイルを記録した記録手段をさらに備え、
前記制御手段は、前記記録手段に記録された前記定義ファイルを参照して、前記副情報の各々について、その編集の可否を判定する検査情報管理システム。
【請求項６】
検査に関する種々の情報を記録して管理する検査情報管理方法であって、
コンピュータが行う、照会又は編集する情報が選択手段により選択された際に、選択された情報に対応する照会・編集画面を表示手段に表示する表示ステップを備え、
前記表示ステップは、前記選択手段にて複数の情報が選択された場合に、各情報に対応する照会・編集画面を前記表示手段の互いに異なる表示領域に同時に表示し、
前記選択手段にて複数の情報が選択された場合に、１番目に選択された主情報と、２番目以降に選択された副情報の各々との組み合わせに基づいて、前記副情報の各々について、その編集を許容し、又は禁止するかを判定する判定ステップをさらに備える検査情報管理方法。
【請求項７】
請求項６に記載の検査情報管理方法であって、
前記表示手段は、複数のモニタを有し、
前記表示ステップは、前記選択手段にて複数の情報が選択された場合に、各情報に対応する照会・編集画面を互いに異なるモニタに表示する検査情報管理方法。
【請求項８】
請求項６に記載の検査情報管理方法であって、
前記表示手段は、単一のモニタに複数のウィンドウを表示可能であり、
前記表示ステップは、前記選択手段にて複数の情報が選択された場合に、各情報に対応する照会・編集画面を互いに異なるウィンドウに表示する検査情報管理方法。
【請求項９】
請求項６〜８のいずれか一項に記載の検査情報管理方法であって、
前記選択手段は、前記表示手段に常時表示されるランチャーである検査情報管理方法。
【請求項１０】
請求項６〜９のいずれか一項に記載の検査情報管理方法であって、
前記判定ステップは、前記主情報と前記副情報との組み合わせにおいて前記副情報の編集を禁止する組み合わせが定義された定義ファイルを参照して、前記副情報の各々について、その編集の可否を判定する検査情報管理方法。
【請求項１１】
請求項６〜１０のいずれか一項に記載の検査情報管理方法をコンピュータに実行させるプログラム。
【発明の詳細な説明】
【技術分野】
【０００１】
本発明は、検査の依頼情報や検査の実施情報などの検査に関する各種情報を記録して管理する検査情報管理システム、検査情報管理方法、及び該方法をコンピュータに実行させるプログラムに関するに関する。
【背景技術】
【０００２】
特許文献１に開示された検査情報管理システムは、医療機関における検査情報を管理するシステムであって、検査で得られた画像情報と、患者情報や検査依頼情報などの各種情報とを関連付けて記録し、各種情報から所望の画像情報を取得してこれを表示するものである。このシステムでは、検査運用の流れに合わせて、必要な情報のみ表示／入力するように制御されている。例えばレポート入力画面には検査で得られた画像情報のうち、予め選択された選択画像のみ表示し、その他の画像を参照するには、サブメニューにある画像確認ボタンを選択して画像確認画面に切替え、参照するようになっている。
【先行技術文献】
【特許文献】
【０００３】
【特許文献１】特開２００２−７３６１５号公報
【発明の概要】
【発明が解決しようとする課題】
【０００４】
特許文献１に開示された検査情報管理システムは、検査運用の流れに合わせて必要な情報のみ画面に表示し、また、入力するように制御されるが、例えば、表示されている情報に不足がある場合に、不足する情報の照会・編集画面に切り替える必要があり、同時並行での作業ができず非効率的であった。
【０００５】
本発明は、上述した事情に鑑みなされたものであり、複数の情報の照会・編集画面を互いに異なる表示領域に同時に表示して検査業務の効率化を図ることを目的とする。
【課題を解決するための手段】
【０００６】
（１）  検査に関する種々の情報を記録して管理する検査情報管理システムであって、照会又は編集する情報を選択する選択手段と、前記選択手段により選択された情報に対応する照会・編集画面を表示する表示手段と、を備え、前記選択手段は、複数の情報の選択が可能であり、前記表示手段は、前記選択手段にて複数の情報が選択された場合に、各情報に対応する照会・編集画面を互いに異なる表示領域に同時に表示し、前記選択手段にて複数の情報が選択された場合に、１番目に選択された主情報と、２番目以降に選択された副情報の各々との組み合わせに基づいて、前記副情報の各々について、その編集を許容し、又は禁止する制御手段をさらに備える検査情報管理システム。
（２）  検査に関する種々の情報を記録して管理する検査情報管理方法であって、コンピュータが行う、照会又は編集する情報が選択手段により選択された際に、選択された情報に対応する照会・編集画面を表示手段に表示する表示ステップを備え、前記表示ステップは、前記選択手段にて複数の情報が選択された場合に、各情報に対応する照会・編集画面を前記表示手段の互いに異なる表示領域に同時に表示し、前記選択手段にて複数の情報が選択された場合に、１番目に選択された主情報と、２番目以降に選択された副情報の各々との組み合わせに基づいて、前記副情報の各々について、その編集を許容し、又は禁止するかを判定する判定ステップをさらに備える検査情報管理方法。
【発明の効果】
【０００７】
本発明によれば、複数の情報の照会・編集画面を互いに異なる表示領域に同時に表示して検査業務の効率化を図ることができる。
【図面の簡単な説明】
【０００８】
【図１】病院内システムの全体構成を示す図である。
【図２】内視鏡部門システムの概略構成を示す図である。
【図３】クライアントＰＣの概略構成を示す図である。
【図４】クライアントＰＣにインストールされたアプリケーションプログラムにより提供される主な機能を示す図である。
【図５】クライアントＰＣの表示部に表示されるログイン画面を示す図である。
【図６】クライアントＰＣの表示部に表示されるオーダ検索画面を示す図である。
【図７】クライアントＰＣの表示部に表示される検査依頼情報詳細画面を示す図である。
【図８】クライアントＰＣの表示部に表示される問診前処置画面を示す図である。
【図９】クライアントＰＣの表示部に表示される問診前処置画面を示す図である。
【図１０】クライアントＰＣの表示部に表示される画像表示画面を示す図である。
【図１１】クライアントＰＣの表示部に表示されるレポート登録画面を示す図である。
【図１２】クライアントＰＣの表示部に表示される病理依頼画面を示す図である。
【図１３】クライアントＰＣの表示部に表示される実施報告画面を示す図である。
【図１４】クライアントＰＣの表示部に表示されるログアウト画面を示す図である。
【図１５】マルチモニタ表示の一例を示す図である。
【図１６】マルチモニタ表示の一例を示す図である。
【図１７】マルチモニタ表示の一例を示す図である。
【図１８】マルチモニタ表示の一例を示す図である。
【図１９】マルチモニタ表示の一例を示す図である。
【発明を実施するための形態】
【０００９】
図１は、病院内システムの概略構成を示す。
【００１０】
図１に示す病院内システムは、病院情報システム（ＨＩＳ：Ｈｏｓｐｉｔａｌ  Ｉｎｆｏｒｍａｔｉｏｎ  Ｓｙｓｔｅｍ）１０と、内視鏡部門システム２０と、病理部門システム３０と、医用画像保管システム（ＰＡＣＳ：Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）４０と、他部門システム５０とを備え、これらは院内ＬＡＮ６０に接続されて相互に連携可能となっている。
【００１１】
ＨＩＳ１０は、医療事務会計システム、診療予約システム、診療情報システム等を含む包括的なシステムであり、電子カルテデータベース等を有する。電子カルテデータベースには、患者の診療情報を記録した電子カルテが保管される。
【００１２】
他の診療科から、内視鏡部門に対して検査依頼が行われる場合の検査の依頼（オーダ）に関する情報（以下、検査依頼情報という）が発行されると、この検査依頼情報がＨＩＳ１０を介して内視鏡部門システム２０に送信される。
【００１３】
検査依頼情報には、例えば、患者情報、オーダーキー情報（「オーダ番号」「発生日時」等）、依頼元情報（「依頼科名」「依頼医師名」「依頼日」等）、オーダ情報（「依頼病名」「検査目的」「検査種別」「検査項目」「検査部位」「コメント」等）、検査予約情報（「検査日」「実施時刻」等）等が含まれる。患者情報は、患者に関する情報であり、患者固有の情報である「患者ＩＤ」、「患者氏名」、「生年月日」、「年齢」、「性別」、「入院／外来区分」等が含まれる。
【００１４】
内視鏡部門システム２０は、内視鏡部門の管理を行うためのシステムである。
【００１５】
病理部門システム３０は、病理部門の管理を行うためのシステムである。
【００１６】
ＰＡＣＳ４０は、内視鏡装置、ＣＴ、ＭＲＩ等の医療画像診断装置からの検査画像を電子的に保存、検索、解析するシステムである。
【００１７】
他部門システム５０は、会計部門の管理を行うためのシステムなど、その他の部門の管理を行うためのシステムである。
【００１８】
図２は、図１の内視鏡部門システムの概略構成を示す。
【００１９】
内視鏡部門には、受付２０Ａと、前処置室２０Ｂと、複数の内視鏡検査室（以下、検査室）２０Ｃと、洗浄室２０Ｄと、カンファレンス室２０Ｅとが含まれる。
【００２０】
受付２０Ａは、検査の受付を行う場所である。前処置室２０Ｂは、内視鏡検査の前に行う問診及び前処置を行うための部屋である。検査室２０Ｃは、内視鏡検査を行うための部屋である。洗浄室２０Ｄは、内視鏡検査に用いたスコープ等の洗浄を行うための部屋である。
【００２１】
図２に示す内視鏡部門システム２０は、内視鏡部門サーバ２１と、複数のクライアントＰＣ２２と、画像入力装置２３と、内視鏡検査装置２４と、洗浄管理装置２５と、洗浄機２６とを備える。内視鏡部門サーバ２１、複数のクライアントＰＣ２２、画像入力装置２３、及び洗浄管理装置２５は部門内ＬＡＮ２７に接続されている。部門内ＬＡＮ２７は院内ＬＡＮ６０に接続されている。
【００２２】
内視鏡部門サーバ２１は、クライアントＰＣ２２、画像入力装置２３、及び洗浄管理装置２５を統括制御するコンピュータである。内視鏡部門サーバ２１には、データベースＤＢが内蔵されており、このデータベースＤＢに各種情報（検査依頼情報、検査結果情報等）が格納される。
【００２３】
画像入力装置２３及び内視鏡検査装置２４は、複数の検査室２０Ｃの各々に設置されている。
【００２４】
画像入力装置２３は、それが設置される検査室２０Ｃの内視鏡検査装置２４に接続されている。画像入力装置２３は、接続された内視鏡検査装置２４で撮影して得られた画像情報を内視鏡部門サーバ２１に入力するための装置である。画像入力装置２３によって入力された画像情報は、内視鏡部門サーバ２１の制御により、ＰＡＣＳ４０によって保管される。なお、内視鏡検査装置２４として、画像入力装置２３を一体化したものを用いてもよい。
【００２５】
洗浄機２６と洗浄管理装置２５は洗浄室２０Ｄに設置されている。洗浄機２６は、内視鏡検査に用いたスコープ等の洗浄を行う機器である。
【００２６】
洗浄管理装置２５は、洗浄機２６に接続されており、洗浄機２６による洗浄履歴等の情報を内視鏡部門サーバ２１に入力するためのコンピュータである。
【００２７】
図３は、図２に示す内視鏡部門システムにおけるクライアントＰＣの内部構成を示す。
【００２８】
図３に示すように、各クライアントＰＣ２２は、入力部２２ａ、表示部２２ｂ、記録部２２ｃ、送受信部２２ｄ、及び制御部２２ｅで構成される。
【００２９】
入力部２２ａは、各種入力を行うための入力手段であり、キーボード、タッチパネル等の入力デバイスや、マウス・トラックボール等のポインティングデバイスから構成されている。
【００３０】
表示部２２ｂは、画像、レポート等の各種表示を行うための表示装置であり、１以上のＬＣＤやＣＲＴなどのモニタで構成されている。
【００３１】
記録部２２ｃは、各種データを記録するためのハードディスク等で構成されている。
【００３２】
送受信部２２ｄは、送受信インタフェイス回路などから構成され、各種指示、各種要求、及び各種データを、部門内ＬＡＮ２７を介して送受信する処理を実行する。
【００３３】
制御部２２ｅは、ＣＰＵ（ｃｅｎｔｒａｌ  ｐｒｏｃｅｓｓｉｎｇ  ｕｎｉｔ）等の演算処理装置と、プログラムを格納するＲＯＭ（ｒｅａｄ−ｏｎｌｙ  ｍｅｍｏｒｙ）等のプログラム格納部と、記憶部とを含む。
【００３４】
制御部２２ｅ内の記憶部は、上記プログラムを実行するときのワークエリアを構成するシステムメモリや不揮発性ＲＡＭ（ｒａｎｄｏｍ  ａｃｃｅｓｓ  ｍｅｍｏｒｙ）などで構成される。
【００３５】
制御部２２ｅは、上記プログラム、部門内ＬＡＮ２７を介し外部から送信される各種の要求、及び入力部２２ａから入力される指示情報などに従ってクライアントＰＣ２２の各部の制御を行う。
【００３６】
クライアントＰＣ２２には、所定のアプリケーションプログラム（以下、単にプログラムという）がインストールされており、このプログラムにより、内視鏡部門サーバ２１のデータベースＤＢ（図２参照）に記録されているデータの照会及び編集、データベースへのデータの登録等が可能となっている。
【００３７】
図４は、クライントＰＣにインストールされたプログラムにより提供される主な機能を示す。
【００３８】
図４に示すように、プログラムによって、ログイン機能、ログアウト機能、オーダ検索機能、問診前処置機能、画像表示機能、レポート登録機能、病理依頼機能、実施報告機能が提供される。以下に各機能について説明する。
【００３９】
図５は、ログイン機能実行時の画面表示の一例を示す。
【００４０】
図５に示すログイン画面は、プログラム起動直後に表示される。ログイン画面には、ユーザＩＤ入力欄１０１、及びパスワード入力欄１０２が表示される。ユーザＩＤ入力欄１０１、及びパスワード入力欄１０２に、それぞれ所定のユーザＩＤ、パスワードを入力されてログインボタン１０３がクリックされると、内視鏡部門サーバ２１が、入力されたユーザＩＤとパスワードとを照合し、ユーザ承認を行う。内視鏡部門サーバ２１による承認がなされると、ログインが完了する。
【００４１】
図６は、オーダ検索機能実行時の画面表示の一例を示す。
【００４２】
図６に示すオーダ検索画面は、ログイン完了後に表示される。オーダ検索画面は、画面上部のランチャーバー２０１、画面中央部の検索条件設定領域３０１、及び画面下部の検索結果表示領域３０２で大略構成されている。
【００４３】
ランチャーバー２０１には、検査一覧アイコン２０２ａ、問診前処置アイコン２０２ｂ、画像表示アイコン２０２ｃ、レポートアイコン２０２ｄ、病理依頼アイコン２０２ｅ、実施報告アイコン２０２ｆが表示されている。アイコン２０２ａ〜２０２ｆは、プログラムが提供する種々の機能を起動するものであって、アイコン毎に所定の機能が割り当てられている。具体的には、検査一覧アイコン２０２ａにはオーダ検索機能が、問診前処置アイコン２０１ｂには問診前処置機能が、画像表示アイコン２０２ｃには画像表示機能が、レポートアイコン２０２ｄにはレポート登録機能が、病理依頼アイコン２０２ｅには病理依頼機能が、また、実施報告アイコン２０２ｆには実施報告機能がそれぞれ割り当てられている。各アイコンがクリックされると、それに割り当てられた機能に応じた画面に遷移する。このランチャーバー２０１は、遷移先の各機能画面においても、常に画面の上部領域に表示されるようになっている。
【００４４】
検索条件設定領域３０１には、データベースＤＢに記録されている検査依頼情報を検索するための各種の検索条件を入力するフォームが表示される。検索条件として、例えば、検査日付、時間帯、患者ＩＤ、患者氏名、等が設定される。
【００４５】
検索結果表示領域３０２には、データベースＤＢに記録されている検査依頼情報のうち検索条件設定領域３０１において設定された検索条件に該当する検査依頼情報の一覧が表示される。検索結果表示領域３０２において、そこに表示されている１つの検査依頼情報が選択されると、以後、その検査依頼情報の検査に付随する受付、問診前処置、画像表示、レポート登録、病理依頼、実施報告といった各種業務に関する情報の照会及び編集、並びに登録が可能となる。
【００４６】
例えば、検査のため患者が来院した際には、受付２０Ａ（図２参照）において、患者氏名等の患者情報や日付などから検査依頼情報が検索され、検索条件に該当するものとして一覧に表示される検査依頼情報のなかから１の検査依頼情報が選択される。その状態で、予約ボタン３０３がクリックされると、図７に示すように、その検査依頼情報の詳細が表示される。患者情報や日付などと検査依頼情報の詳細との照合がなされ、選択されている検査依頼情報が所望の検査依頼情報であることが確認された後、受付ボタン３０４がクリックされ、受付がなされる。受付がなされたことの情報は、クライントＰＣ２２から内視鏡部門サーバ２１に入力され、選択されている検査依頼情報と関連付けてデータベースＤＢに登録される。
【００４７】
また、検索結果表示領域３０２において１の検査依頼情報が選択された状態で、ランチャーバー２０１の問診前処置アイコン２０２ｂ、画像表示アイコン２０２ｃ、レポートアイコン２０２ｄ、病理依頼アイコン２０２ｅ、又は実施報告アイコン２０２ｆのいずれかがクリックされると、クリックされたアイコンに応じた機能画面に遷移する。そして、遷移先の機能画面上で、選択された検査依頼情報の検査に付随する各種業務に関する情報の照会及び編集、並びに登録が行われる。
【００４８】
図８及び図９は、問診前処置機能実行時の画面表示の一例を示す。
【００４９】
図８及び図９に示す問診前処置画面は、ランチャーバー２０１の問診前処置アイコン２０２ｂがクリックされた際に表示される。この問診前処置画面は、ランチャーバー２０１と、問診前処置情報の入力領域４０１とで大略構成されている。
【００５０】
入力領域４０１には、問診により得られた患者の既往歴等の問診情報を入力するフォームと、前処置で患者に投薬された薬剤等の前処置情報を入力するフォームとが択一的に表示される。表示されるフォームの切り替えは、その領域の上部に設けられているタブ４０２、４０３の選択によりなされる。
【００５１】
図８は、入力領域４０１に問診のフォームが表示されている状態を示す。フォームの各欄に入力された問診情報は、保存ボタン４０４がクリックされると、選択されている検査依頼情報に関連付けてデータベースＤＢに登録される。また、選択されている検査依頼情報に関連付けてデータベースＤＢに問診情報が記録されている場合には、その問診情報がフォームの各欄に表示される。
【００５２】
図９は、入力領域４０１に前処置のフォームが表示されている状態を示す。フォームの各欄に入力された前処置情報は、保存ボタン４０５がクリックされると、選択されている検査依頼情報に関連付けてデータベースＤＢに登録される。また、選択されている検査依頼情報に関連付けてデータベースＤＢに前処置情報が記録されている場合には、その前処置情報がフォームの各欄に表示される。
【００５３】
図１０は、画像表示機能実行時の画面表示の一例を示す。
【００５４】
図１０に示す画像表示画面は、ランチャーバー２０１の画像表示アイコン２０２ｃがクリックされた際に表示される。この画像表示画面は、ランチャーバー２０１と、画像表示領域５０１と、画像設定領域５０２と、出力設定領域５０３とで大略構成されている。
【００５５】
画像表示領域５０１には、内視鏡検査装置２４（図２参照）による撮影され、個々の検査依頼情報に関連付けてＰＡＣＳ４０（図１参照）に保管されている画像情報のうち、選択されている検査依頼情報に関連付けられている画像情報が画像として表示される。図示の例において、画像表示領域５０１には、複数の画像情報がサムネイル画像で一覧表示されると共に、それらのうちから選択された画像情報がサムネイル画像より大きいサイズの画像で表示されている。
【００５６】
画像設定領域５０２には、画像表示領域５０１における画像の表示方法を設定するボタンが表示されている。表示方法としては、複数の選択画像を図示の例より縮小して並べて表示する方法などが例示できる。また、画像設定領域５０２には、選択画像に対するマーキングや、アノテーションを行うボタンが表示されている。マーキングは、その画像が特定の症例に該当することを示す所定のマークを付加するものである。また、アノテーションは、任意のコメントや図形などを描画するものである。マーキングにより付加されたマークやアノテーションにより描画されたコメント等は、それらが付加、描画された画像の画像情報と共にＰＡＣＳ４０に保管される。
【００５７】
出力設定領域５０３には、選択画像に対して印刷等の出力処理を設定するボタン等が表示されている。
【００５８】
図１１は、レポート登録機能実行時の画面表示の一例を示す。
【００５９】
図１１に示すレポート登録画面は、ランチャーバー２０１のレポートアイコン２０２ｄがクリックされた際に表示される。このレポート登録画面は、ランチャーバー２０１と、レポート情報入力領域６０１と、添付情報設定領域６０２とで大略構成されている。
【００６０】
レポート情報入力領域６０１には、検査の所見、診断等のレポート情報を入力するフォームが表示されている。フォームの各欄に入力されたレポート情報は、確定ボタン６０３がクリックされると、選択されている検査依頼情報に関連付けてデータベースＤＢに登録される。
【００６１】
添付情報設定領域６０２には、レポートに添付する情報が表示される。添付される情報としては、内視鏡検査装置２４により撮影された画像情報等が例示される。画像情報は、選択されている検査依頼情報に関連付けてＰＡＣＳ４０に保管されており、上述の画像表示画面（図１０参照）において予め選択された画像情報が添付される。
【００６２】
選択されている検査依頼情報に関連付けてデータベースＤＢにレポート情報が記録されている場合には、そのレポート情報がレポート情報入力領域６０１のフォームの各欄に表示され、また、そのレポート情報に添付されている画像情報等の情報が添付情報設定領域６０２に表示される。
【００６３】
図１２は、病理依頼機能実行時の画面表示の一例を示す。
【００６４】
図１２に示す病理依頼画面は、ランチャーバー２０１の病理依頼アイコン２０２ｅがクリックされた際に表示される。この病理依頼画面は、ランチャーバー２０１と、病理依頼情報入力領域７０１と、プレビュー領域７０２とで大略構成されている。
【００６５】
病理依頼情報入力領域７０１には、病理検査の依頼情報を入力するフォームが表示されている。フォームの各欄に入力された病理依頼情報は、病理依頼ボタン７０３がクリックされると、選択されている検査依頼情報に関連付けてデータベースＤＢに登録され、また、院内ＬＡＮ６０（図１参照）を介して病理部門システム３０（図１参照）に送信される。選択されている検査依頼情報に関連付けてデータベースＤＢに病理依頼情報が記録されている場合には、その病理依頼情報がフォームの各欄に表示される。
【００６６】
プレビュー領域７０２には、病理依頼情報入力領域７０１のフォームに入力された病理依頼情報に基づき作成される病理依頼書のプレビューが表示される。
【００６７】
図１３は、実施報告機能実行時の画面表示の一例を示す。
【００６８】
図１３に示す実施報告画面は、ランチャーバー２０１の実施報告アイコン２０２ｆがクリックされた際に表示される。この実施報告画面は、ランチャーバー２０１と、手技や薬剤・材料の選択領域８０１と、実施情報入力領域８０２とで大略構成されている。
【００６９】
選択領域８０１には、検査の手技、薬剤、処置具などの材料、等が一覧で表示される。これらのうちから、検査で実際に行われた手技、前処置や検査で使用された薬剤及び材料が選択される。なお、手技の選択に伴い、手技に応じて薬剤や材料が絞り込まれて表示されるようにしてもよい。
【００７０】
実施情報入力領域８０２には、選択領域８０１で選択された手技、薬剤及び材料が表示される。実施情報入力領域８０２に表示される実施情報は、登録ボタン８０３がクリックされると、選択されている検査依頼情報に関連付けてデータベースＤＢに登録され、また、院内ＬＡＮ６０（図１参照）を介して他部門システム５０（図１参照）に含まれる会計部門システムに送信される。会計部門システムでは、ここで送信された実施情報に基づいて会計処理がなされる。選択されている検査依頼情報に関連付けてデータベースＤＢに実施情報が記録されている場合には、その実施情報が実施情報入力領域８０２に表示される。
【００７１】
図１４は、ログアウト機能実行時の画面表示の一例を示す。
【００７２】
図１４に示すログアウト画面は、上述のオーダ検索画面（図６参照）において、その下部領域に表示されているログアウトボタン９０１がクリックされた際に表示される。このログアウト画面には、ログアウトボタン９０２に加えて、離席ボタン９０３及びユーザ切替ボタン９０４が表示される。離席ボタン９０３がクリックされると、画面全体に図５に示すログイン画面が表示され、それまで画面に表示されていた情報が隠されると共に他人による操作が防止される。ユーザ切替ボタン９０４がクリックされると、図５に示すログイン画面に戻ることなくログインユーザの切り替えがなされる。
【００７３】
上述の各機能画面に常時表示されるランチャーバー２０１には、データベースＤＢに記録されている検査依頼情報、及びそれに関連付けて記録されている問診情報及び前処置情報、画像情報、レポート情報、病理依頼情報、実施情報の各種情報の照会・編集画面を表示させるアイコン２０２ａ〜２０２ｆに加え、マルチモニタ表示の設定を行うボタン２０３が表示されている。
【００７４】
マルチモニタ表示は、例えば、画像表示画面において画像情報を照会しながらレポート登録画面においてレポート情報の編集を行う、問診前処置画面において問診情報を照会しながらレポート登録画面においてレポート情報の編集を行う、レポート登録画面においてレポート情報を照会しながら実施報告画面において実施情報の編集を行う、などの種々の状況下での利用が可能である。以下、画像表示画面において画像情報を照会しながらレポート登録画面においてレポート情報の編集を行う場合を例に、マルチモニタ表示について説明する。
【００７５】
図１５〜図１９は、マルチモニタ表示の一例を示す。
【００７６】
図１５に示すように、クライアントＰＣ２２の表示部２２ｂは、メインモニタである第１のモニタ２２ｂ１、及びサブモニタである第２のモニタ２２ｂ２の２つのモニタを有する。クライアントＰＣ２２においてプログラムを起動すると、上述のログイン画面が第１のモニタ２２ｂ１に表示される。
【００７７】
図１６に示すように、ログイン後、第１のモニタ２２ｂ１には、上述のオーダ検索画面が表示される。このオーダ検索画面には、その上部領域にランチャーバー２０１が表示される。レポート情報の照会・編集に際しては、第１のモニタ２２ｂ１のオーダ検索画面において所望の検査依頼情報を選択した状態で、ランチャーバー２０１のレポートアイコン２０２ｄがクリックされる。それに伴い、第１のモニタ２２ｂ１にレポート登録画面が表示される。
【００７８】
図１７に示すように、第１のモニタ２２ｂ１のレポート登録画面には、選択されている検査依頼情報に関連付けてＰＡＣＳ４０（図１参照）に保管されている複数の画像のうちから予め選択されたキー画像ＩＭＧが表示される。ここで、例えば選択画像以外の画像も参照する必要が生じた場合には、画像表示画面において画像の照会がなされる。画像の照会に際して、ランチャーバー２０１の第２のモニタ２２ｂ２への移行ボタン２０３がクリックされる。それに伴い、第２のモニタ２２ｂ２にも、ランチャーバーが表示される。
【００７９】
図１８に示すように、第２のモニタ２２ｂ２のランチャーバー２０５には、問診前処置アイコン２０２ｂ、画像表示アイコン２０２ｃ、レポート登録アイコン２０２ｄ、病理依頼アイコン２０２ｅ、実施報告アイコン２０２ｆ、及び第１のモニタ２２ｂ１への移行ボタン２０４が表示される。このランチャーバー２０５もまた、第２のモニタ２２ｂ２に常に表示されるようになっている。以後、クライントＰＣ２２の入力部２２ａによる入力は、第２のモニタ２２ｂ２の表示画面に反映される。次いで、ランチャーバー２０５の画像表示アイコン２０２ｃがクリックされ、画像表示画面が第２のモニタ２２ｂ２に表示される。
【００８０】
図１９に示すように、第２のモニタ２２ｂ２の画像表示画面には、選択されている検査依頼情報に関連付けてＰＡＣＳ４０に保管されている複数の画像が表示される。この画像表示画面上において所望の画像が選択され、画像表示領域５０１に表示される。
【００８１】
画像の選択が済んだ後、ランチャーバー２０５の第１のモニタ２２ｂ１への移行ボタン２０４がクリックされる。以後、クライントＰＣ２２の入力部２２ａによる入力は、第１のモニタ２２ｂ１の表示画面に反映される。以上により、第２のモニタ２２ｂ２には所望の画像が表示され、これを参照しながら第１のモニタ２２ｂ１上でのレポート情報の編集が可能となる。
【００８２】
なお、第２のモニタ２２ｂ２の照会・編集画面上での入力をデータベースＤＢに登録す
ることも可能であり、ここで登録された情報は、第１のモニタ２２ｂ１の照会・編集画面
に反映される。例えば、上述の例では、第２のモニタ２２ｂ２の画像表示画面において、
キー画像の追加や変更といった情報をデータベースＤＢに登録することも可能である。第
２のモニタ２２ｂ２の画像表示画面においてキー画像の追加、又は変更がなされ、データ
ベースＤＢに登録された場合に、これに同期して、第１のモニタ２２ｂ１のレポート登録
画面に表示されるキー画像も追加、又は変更される。これにより、互いに異なる表示領域に同時に表示された複数の情報の照会・編集画面を用いた検査業務の効率化を一層高めることができる。
【００８３】
ただし、メインモニタである第１モニタ２２ｂ１の照会・編集画面に表示される情報とサブモニタである第２モニタ２２ｂ２照会・編集画面に表示される情報とが特定の組み合わせの場合には、第２モニタ２２ｂ２の照会・編集画面に表示される情報の編集が禁止されるとよい。例えば、実施報告と問診前処置、病理依頼とレポート登録とがこの特定の組み合わせに該当する。実施情報には、前処置における使用薬剤が含まれ、問診前処置画面での前処置における使用薬剤の編集は、実施情報の追加、又は変更を伴う。また、病理依頼情報にはレポートに記載される検査内容が含まれ、レポート登録画面におけるレポート情報の編集は、病理依頼情報の追加、又は変更を伴う。しかし、実施情報は会計部門システムに、また病理依頼情報は病理部門システムにそれぞれ送信され、そこでの業務に使用されるため、安易に追加、又は変更を許容するのは好ましくない。
【００８４】
そこで、第２モニタ２２ｂ２の照会・編集画面に表示される情報の編集を禁止する特定の組み合わせを、クライアントＰＣ２２の記憶部２２ｃに定義ファイルとして記憶し、この定義ファイルに基づき、クライアントＰＣ２２の制御部２２ｅが、第１モニタ２２ｂ１の照会・編集画面に表示される情報の照会・編集に対して、第２モニタ２２ｂ２の照会・編集画面に表示される情報の照会・編集を排他的に制御する。具体的には、第１モニタ２２ｂ１の照会・編集画面に表示される情報と、第２モニタ２２ｂ２の照会・編集画面に表示される情報との組み合わせが、定義ファイルに規定された特定の組み合わせに該当する場合に、制御部２２ｅは、第２モニタ２２ｂ２の照会・編集画面のうち、ランチャーバー２０５を除くすべての領域に対する入力を禁止する。
【００８５】
以下、実施報告と問診前処置との組み合わせを例に、上記の排他制御を説明する。
【００８６】
まず、第１モニタ２２ｂ１に実施報告画面が表示されている状態で（図１３参照）、ランチャーバー２０１の移行ボタン２０３がクリックされると、第２のモニタ２２ｂ２に、ランチャーバー２０５が表示される。次いで、ランチャーバー２０５の前処置アイコン２０２ｂがクリックされると、問診前処置画面が表示される（図９参照）。ここで、クライアントＰＣ２２の制御部２２ｅは、問診前処置と実施報告とが記憶部２２ｃに記憶された定義ファイルに規定されている特定の組み合わせに該当するか否かを判断する。問診前処置と実施報告とは定義ファイルに規定されている特定の組み合わせに該当し、制御部２２ｅは、クライアントＰＣ２２の入力部２２ａによる第２モニタ２２ｂ２の実施報告画面での入力領域４０１への入力を受け付けることなく、編集を禁止する。
【００８７】
なお、第１モニタ２２ｂ１に照会・編集画面を表示している状態で、第２モニタ２２ｂ２に照会・編集画面を表示する場合、これらの照会・編集画面が特定の組み合わせに該当する場合、制御部２２ｅは第２モニタ２２ｂ２に表示しようとする照会・編集画面そのものの表示をすることを禁止してもよい。例えば、第１モニタ２２ｂ１に実施報告画面が表示されている状態で、第２モニタ２２ｂ２のランチャーバー２０５の問診前処置アイコン２０２ｂがクリックされても、第２モニタ２２ｂ２に問診前処置画面が表示されないように制御する。ここで、第２モニタ２２ｂ２には、問診前処置画面を表示することが禁止される旨を通知するウィンドウを表示してもよい。
【００８８】
以上、マルチモニタ表示により、複数の情報の照会・編集画面を同時に表示する例を説明したが、単一のモニタに複数のウィンドウを開き、各ウィンドウに一つの照会・編集画面を表示するようにしてもよい。ランチャーバーの各アイコンが選択される度にウィンドウが開らかれ、そこに選択されたアイコンに対応する照会・編集画面が表示される。各ウィンドウの位置やサイズが適宜変更さることにより、各ウィンドウは互いに異なる表示領域に同時に表示される。
【００８９】
以上説明したように、本明細書に開示された検査情報管理システムは、検査に関する種々の情報を記録して管理する検査情報管理システムであって、照会又は編集する情報を選択する選択手段と、前記選択手段により選択された情報に対応する照会・編集画面を表示する表示手段と、を備え、前記選択手段は、複数の情報の選択が可能であり、前記表示手段は、前記選択手段にて複数の情報が選択された場合に、各情報に対応する照会・編集画面を互いに異なる表示領域に同時に表示する。この構成によれば、複数の情報の登録又は照会画面を互いに異なる表示領域に同時に表示して検査業務の効率化を図ることができる。
【００９０】
また、本明細書に開示された検査情報管理システムは、前記表示手段が、複数のモニタを有し、前記選択手段にて複数の情報が選択された場合に、各情報に対応する照会・編集画面を互いに異なるモニタに表示する。この構成によれば、複数の情報の照会・編集画面を互いに異なる表示領域に同時に表示することができる。
【００９１】
また、本明細書に開示された検査情報管理システムは、前記表示手段が、単一のモニタに複数のウィンドウを表示可能であり、前記選択手段にて複数の情報が選択された場合に、各情報に対応する照会・編集画面を互いに異なるウィンドウに表示する。この構成によれば、複数の情報の照会・編集画面を互いに異なる表示領域に同時に表示することができる。
【００９２】
また、本明細書に開示された検査情報管理システムは、前記選択手段が、前記表示手段に常時表示されるランチャーである。この構成によれば、必要な情報の照会・編集画面の起動が容易である。
【００９３】
また、本明細書に開示された検査情報管理システムは、前記選択手段にて複数の情報が選択された場合に、１番目に選択された主情報と、２番目以降に選択された副情報の各々との組み合わせに基づいて、前記副情報の各々について、その編集を許容し、又は禁止する制御手段を更に備える。この構成によれば、検査業務の効率化を図りつつ、情報管理の確実性も高めることができる。
【００９４】
また、本明細書に開示された検査情報管理システムは、主情報と副情報との組み合わせにおいて副情報の編集を禁止する組み合わせが定義された定義ファイルを記録した記録手段を更に備え、前記制御手段は、前記記録手段に記録された前記定義ファイルを参照して、前記副情報の各々について、その編集の可否を判定する。この構成によれば、主情報と副情報との組み合わせにおいて副情報の編集を禁止する組み合わせを一元管理することができる。
【００９５】
また、本明細書に開示された検査情報管理方法は、検査に関する種々の情報を記録して管理する検査情報管理方法であって、コンピュータが行う、照会又は編集する情報が選択手段により選択された際に、選択された情報に対応する照会・編集画面を表示手段に表示する表示ステップを備え、前記表示ステップは、前記選択手段にて複数の情報が選択された場合に、各情報に対応する照会・編集画面を前記表示手段の互いに異なる表示領域に同時に表示する。
【００９６】
また、本明細書に開示された検査情報管理方法は、前記表示手段が、複数のモニタを有し、前記表示ステップは、前記選択手段にて複数の情報が選択された場合に、各情報に対応する照会・編集画面を互いに異なるモニタに表示する。
【００９７】
また、本明細書に開示された検査情報管理方法は、前記表示手段が、単一のモニタに複数のウィンドウを表示可能であり、前記表示ステップは、前記選択手段にて複数の情報が選択された場合に、各情報に対応する照会・編集画面を互いに異なるウィンドウに表示する。
【００９８】
また、本明細書に開示された検査情報管理方法は、前記
選択手段が、前記表示手段に常時表示されるランチャーである。
【００９９】
また、本明細書に開示された検査情報管理方法は、前記選択手段にて複数の情報が選択された場合に、１番目に選択された主情報と、２番目以降に選択された副情報の各々との組み合わせに基づいて、前記副情報の各々について、その編集を許容し、又は禁止するかを判定する判定ステップを更に備える。
【０１００】
また、本明細書に開示された検査情報管理方法は、前記判定ステップが、主情報と副情報との組み合わせにおいて副情報の編集を禁止する組み合わせが定義された定義ファイルを参照して、前記副情報の各々について、その編集の可否を判定する。
【符号の説明】
【０１０１】
２０  内視鏡部門システム
２０Ａ  受付
２０Ｂ  前処置室
２０Ｃ  検査室
２０Ｄ  洗浄室
２０Ｅ  カンファレンス室
２１  内視鏡部門サーバ
２２ａ  入力部
２２ｂ  表示部
２２ｃ  記録部
２２ｄ  送受信部
２２ｅ  制御部
２３  画像入力装置
２４  内視鏡検査装置
２５  洗浄管理装置
２６  洗浄機
２７  部門内ＬＡＮ
３０  病理部門システム
５０  他部門システム
６０  院内ＬＡＮ
ＤＢ  データベース
【図１】
0005604233.tif 000002
【図２】
0005604233.tif 000003
【図３】
0005604233.tif 000004
【図４】
0005604233.tif 000005
【図５】
0005604233.tif 000006
【図６】
0005604233.tif 000007
【図７】
0005604233.tif 000008
【図８】
0005604233.tif 000009
【図９】
0005604233.tif 000010
【図１０】
0005604233.tif 000011
【図１１】
0005604233.tif 000012
【図１２】
0005604233.tif 000013
【図１３】
0005604233.tif 000014
【図１４】
0005604233.tif 000015
【図１５】
0005604233.tif 000016
【図１６】
0005604233.tif 000017
【図１７】
0005604233.tif 000018
【図１８】
0005604233.tif 000019
【図１９】
0005604233.tif 000020